(57)【要約】【課題】簡素な構成にて、レンズ固定時の作業を簡易にでき、且つ、温度変化によるレンズの光軸ずれを適正に抑制できるレンズ固定装置および当該レンズ固定装置を備えた光ピックアップ装置を提供する。【解決手段】レンズ固定装置は、樹脂製レンズ（レンズ領域２０１）を有するレンズホルダ２００と、装着部３００を有する。レンズホルダ２００は２つの突出部２０２ａ、２０２ｂを有し、これらには、案内面２０３ａ、２０３ｂと接着面２０４ａ、２０４ｂが形成されている。案内面２０３ａ、２０３ｂと接着面２０４ａ、２０４ｂを平面方向に広げたときの交線はレンズ領域２０１の光軸に一致する。案内面２０３ａ、２０３ｂと装着部３００側の受け面３０４ａ、３０４ｂが接することで、レンズホルダ２００がＸ−Ｙ平面内に位置決めされる。レンズホルダ２００は、接着剤４００により固定される。【選択図】図３
2011108350.tif 000002
【特許請求の範囲】
【請求項１】
樹脂製レンズを有するレンズ部と、
前記レンズ部が装着される装着部とを備え、
前記レンズ部は；
前記レンズの中心軸から離れる方向に突出した２つの突出部を有し、
２つの前記突出部は、それぞれ、前記装着部に対向する案内面と、前記案内面に対して前記装着部から離れた位置にある被接着面を有し、
前記案内面と前記被接着面を広げたときの交線が前記レンズの中心軸に一致するように前記案内面と前記被接着面が配置され、
２つの前記突出部の前記案内面の間の前記中心周りの挟角が１８０度よりも小さくなっており、
前記装着部は；
前記レンズ部が装着されるときに２つの前記突出部の前記案内面にそれぞれ面接触する２つの受け面と、
２つの前記受け面に２つの前記案内面がそれぞれ面接触した状態において、前記被接着面と隣り合うように位置づけられる固定面と、を有し、
２つの前記受け面に２つの前記案内面がそれぞれ面接触した状態において、前記被接着面と前記固定面に垂直な方向から、前記被接着面と前記固定面が接着剤により互いに固定される、
ことを特徴とするレンズ固定装置。
【請求項２】
請求項１に記載のレンズ固定装置において、
前記レンズ部を前記装着部に装着したとき、前記被接着面は、前記固定面と面一になっている、
ことを特徴とするレンズ固定装置。
【請求項３】
請求項１または２に記載のレンズ固定装置において、
２つの前記突出部の前記案内面は、前記レンズ部を前記装着部に装着する方向に対して、互いに反対方向に同じ角度だけ傾斜し、これら案内面の挟角が１２０度よりも小さくなっている、
ことを特徴とするレンズ固定装置。
【請求項４】
請求項１ないし３の何れか一項に記載のレンズ固定装置において、
前記接着剤が、アクリル系の紫外線硬化接着剤である、
ことを特徴とするレンズ固定装置。
【請求項５】
請求項１ないし４の何れか一項に記載のレンズ固定装置において、
前記レンズの前記中心軸方向における前記レンズ部と前記装着部との境界の位置に、前記レンズ部を前記中心軸方向に押さえて位置決めするための突起が配されている、
ことを特徴とするレンズ固定装置。
【請求項６】
請求項１ないし５の何れか一項に記載のレンズ固定装置を有する光ピックアップ装置。
【発明の詳細な説明】
【技術分野】
【０００１】
本発明は、樹脂製のレンズをベースに固定するためのレンズ固定装置および当該レンズ固定装置を備える光ピックアップ装置に関する。
【背景技術】
【０００２】
近年、樹脂製のレンズが、光ピックアップ装置等の光学機器に用いられるようになっている。かかるレンズは、従来のガラスレンズに比べ、安価かつ軽量であるとのメリットを有している。しかし、樹脂製レンズは、ガラスレンズに比べて、温度変化による変形が生じ易く、これによる光学特性の劣化が懸案となっている。
【０００３】
図６（ａ）は、樹脂製レンズの固定形態を、レンズ光軸方向から見た図である。この形態では、上面と側面がベース２０に接するようにして、レンズ１０がベース２０に固定されている。この場合、温度上昇によってレンズ１０が光軸を中心に膨張すると、面２０ａ、２０ｂに押されてレンズ１０が破線矢印方向に移動する。これにより、レンズ１０の光軸が適正な状態からずれてしまい、当該レンズを備える光学系の特性に劣化が生じる。光ピックアップ装置などでは、レンズの光軸が僅か数ミクロンずれるだけで、読み取りに十分な特性が得られなくなってしまう。
【０００４】
この問題を解消手法として、たとえば、同図（ｂ）の構成が知られている（特許文献１）。この構成では、レンズホルダ３０から放射状に３つの係止部３１、３２、３３が突出している。これら係止部３１、３２、３３のベース４０に当接する面Ｓ１、Ｓ２、Ｓ３は、光軸Ｏから放射状となるように形成されている。レンズホルダ３０は、面Ｓ１、Ｓ２、Ｓ３がベース４０の対応する面に接する状態で、板バネ５０によって、左下方向に弾性的に押さえられている。また、係止部３１、３２は、接着剤６０によって、ベース４０の上面に固定されている。係止部３１、３２には、それぞれ、左方向および右方向に撓むヒンジ部３１ａ、３２ａが形成されている。
【０００５】
この構成では、温度上昇によってレンズが光軸Ｏを中心に膨張すると、係止部３１、３２、３３の面Ｓ１、Ｓ２、Ｓ３が、ベース４０の対応する面上を滑る。このとき、係止部３１、３２に掛かる力は、ヒンジ部３１ａ、３２ａが撓むことによって吸収される。こうして、レンズの膨張による光軸のずれが抑制される。
【先行技術文献】
【特許文献】
【０００６】
【特許文献１】特開２０００−２６６９７７号公報
【発明の概要】
【発明が解決しようとする課題】
【０００７】
しかしながら、図６（ｂ）の構成では、係止部３１、３２にヒンジ部３１ａ、３２ａが形成されるため、レンズホルダ３０の構成が複雑になる。また、レンズホルダ３０をベース４０に取り付けるには、面Ｓ１、Ｓ２、Ｓ３をベース４０の対応する面に接触させた状態で、板バネ５０を装着し、さらに、レンズホルダ３０を接着剤６０により固定しなければならず、煩雑な作業が必要になる。さらに、レンズ膨張の際に、板バネ５０から掛かる力と、ヒンジ部３１ａ、３１ｂから掛かる力が同図の左右方向に不均衡となると、左右方向に光軸ズレが生じる惧れがある。
【０００８】
本発明は、かかる問題を解消するためになされたものであり、簡素な構成にて、レンズ固定時の作業を簡易にでき、且つ、温度変化によるレンズの光軸ずれを適正に抑制できるレンズ固定装置および当該レンズ固定装置を備えた光ピックアップ装置を提供することを目的とする。
【課題を解決するための手段】
【０００９】
本発明の第１の態様は、レンズ固定装置に関する。本態様に係るレンズ固定装置は、樹脂製レンズを有するレンズ部と、前記レンズ部が装着される装着部とを備える。
【００１０】
ここで、前記レンズ部は、前記レンズの中心軸から離れる方向に突出した２つの突出部を有する。これら２つの突出部は、それぞれ、前記装着部に対向する案内面と、前記案内面に対して前記装着部から離れた位置にある被接着面を有する。また、前記案内面と前記被接着面を広げたときの交線が前記レンズの中心軸に一致するように前記案内面と前記被接着面が配置される。さらに、２つの前記突出部の前記案内面の間の前記中心軸周りの挟角が１８０度よりも小さくなっている。
【００１１】
他方、前記装着部は、前記レンズ部が装着されるときに２つの前記突出部の前記案内面にそれぞれ面接触する２つの受け面と、２つの前記受け面に２つの前記案内面がそれぞれ面接触した状態において、前記被接着面と隣り合うように位置づけられる固定面とを有する。
【００１２】
２つの前記受け面に２つの前記案内面がそれぞれ面接触した状態において、前記被接着面と前記固定面に垂直な方向から、前記被接着面と前記固定面が接着剤により互いに固定される。
【００１３】
本発明の第２の態様は、光ピックアップ装置に関する。この態様に係る光ピックアップ装置は、上記第１の態様に係るレンズ固定装置を有する。たとえば、光ピックアップ装置に配されたフォーカスエラー検出用のレンズが、上記第１の態様に掛かるレンズ固定装置によって固定される。
【発明の効果】
【００１４】
本発明によれば、簡素な構成にて、レンズ固定時の作業を簡易にでき、且つ、温度変化によるレンズの光軸ずれを適正に抑制できるレンズ固定装置および当該レンズ固定装置を備えた光ピックアップ装置を提供することができる。
【００１５】
本発明の特徴は、以下に示す実施の形態の説明により更に明らかとなろう。ただし、以下の実施の形態は、あくまでも、本発明の一つの実施形態であって、本発明ないし各構成要件の用語の意義は、以下の実施の形態に記載されたものに制限されるものではない。
【図面の簡単な説明】
【００１６】
【図１】実施の形態に係る光ピックアップ装置の構成を示す図である。
【図２】実施の形態に係るレンズ部と装着部の構成を示す図である。
【図３】実施の形態に係るレンズ固定工程を示す図である。
【図４】実施の形態に係るレンズ固定装置の作用を示すである。
【図５】変更例に係るレンズ部と装着部の構成を示す図である。
【図６】従来例に係るレンズ固定装置の構成を詳細に示す図である。
【発明を実施するための形態】
【００１７】
以下、本発明の実施の形態につき図面を参照して説明する。本実施の形態は、ＢＤとＣＤ（Compact Disc）およびＤＶＤ（Digital Versatile Disc）に対してレーザ光を照射する光ピックアップ装置および当該光ピックアップ装置に配されるレンズ固定装置に本発明を適用したものである。
【００１８】
図１に、実施の形態に係る光ピックアップ装置の光学系を示す。同図（ａ）は光学系の上面図、同図（ｂ）は対物レンズアクチュエータ周辺部分を側面側から見た内部透視図である。この光学系は、ＢＤ用の光学系とＣＤ／ＤＶＤ用の光学系に区分される。
【００１９】
ＢＤ用の光学系は、半導体レーザ１０１と、回折格子１０２と、偏光ビームスプリッタ１０３と、コリメータレンズ１０４と、レンズアクチュエータ１０５と、立ち上げミラー１０６と、λ／４板１０７と、第１の対物レンズ１０８と、アナモレンズ１０９と、光検出器１１０から構成されている。
【００２０】
半導体レーザ１０１は、波長４００ｎｍ程度の青色レーザ光を出力する。回折格子１０２は、半導体レーザ１０１から出射されたレーザ光を３ビームに分割する。偏光ビームスプリッタ１０３は、回折格子１０２側から入射されたレーザ光を反射する。コリメータレンズ１０４は、偏光ビームスプリッタ１０３によって反射されたレーザ光を平行光に変換する。レンズアクチュエータ１０５は、コリメータレンズ１０４をレーザ光の光軸方向に駆動する。なお、コリメータレンズ１０４とレンズアクチュエータ１０５は、収差補正手段として機能する。
【００２１】
立ち上げミラー１０６は、コリメータレンズ１０４を介して入射されたレーザ光を第１の対物レンズ１０８に向かう方向に反射する。λ／４板１０７は、反射ミラー１０６によって反射されたレーザ光を円偏光に変換するとともに、ディスクからの反射光を、ディスクへ入射される際の偏光方向に直交する直線偏光に変換する。これにより、ディスクによって反射されたレーザ光は偏光ビームスプリッタ１０３を透過して光検出器１１０へと導かれる。
【００２２】
第１の対物レンズ１０８は、青色波長のレーザ光を、ＢＤの信号面上に適正に収束できるよう設計されている。すなわち、第１の対物レンズ１０８は、０．１ｍｍ厚の基板を介して信号面上に青色波長のレーザ光を適正に収束できるよう設計されている。なお、第１の対物レンズ１０８は、樹脂材料によって形成されている。
【００２３】
アナモレンズ１０９は、ディスクによって反射されたレーザ光を光検出器１１０上に収束させる。アナモレンズ１０９は、樹脂材料によって形成され、ディスクからの反射光に非点収差を導入する。アナモレンズ１０９は、図２ないし図４に示すレンズ装着装置によって、図１の光学系を保持するベースに装着される。
【００２４】
光検出器１１０は、受光したレーザ光の強度分布から再生ＲＦ信号、フォーカスエラー信号およびトラッキングエラー信号を導出するためのセンサーパターンを有している。なお、本実施の形態では、フォーカスエラー信号の生成手法として非点収差法が採用され、トラッキングエラー信号の生成手法としてＤＰＰ（Differential Push Pull）法が採用されている。光検出器１１０は、これらの手法に従ってフォーカスエラー信号およびトラッキングエラー信号を導出するためのセンサーパターンを有している。
【００２５】
ＣＤ／ＤＶＤ用の光学系は、半導体レーザ１２１と、回折格子１２２と、偏光ビームスプリッタ１２３と、コリメータレンズ１２４と、立ち上げミラー１２５と、λ／４板１２６と、第２の対物レンズ１２７と、アナモレンズ１２８と、光検出器１２９から構成されている。
【００２６】
半導体レーザ１２１は、一つのＣＡＮ内に、波長７８０ｎｍ程度の赤外レーザ光と波長６５０ｎｍ程度の赤色レーザ光を出力するレーザ素子を備える。回折格子１２２は、半導体レーザ１２１から出射されたレーザ光を３ビームに分割する。偏光ビームスプリッタ１２３は、回折格子１２２側から入射されたレーザ光を反射する。コリメータレンズ１２４は、偏光ビームスプリッタ１２３によって反射されたレーザ光を平行光に変換する。
【００２７】
立ち上げミラー１２５は、コリメータレンズ１２４を介して入射されたレーザ光を第２の対物レンズ１２７に向かう方向に反射する。λ／４板１２６は、反射ミラー１２５によって反射されたレーザ光を円偏光に変換するとともに、ディスクからの反射光を、ディスクへ入射される際の偏光方向に直交する直線偏光に変換する。これにより、ディスクによって反射されたレーザ光は偏光ビームスプリッタ１２３を透過して光検出器１２９へと導かれる。
【００２８】
第２の対物レンズ１２７は、赤外波長のレーザ光と赤色波長のレーザ光を、それぞれ、ＣＤとＤＶＤの信号面上に適正に収束できるよう設計されている。すなわち、第２の対物レンズ１２７は、１．２ｍｍ厚の基板を介して信号面上に赤外波長のレーザ光を適正に収束でき、且つ、０．６ｍｍ厚の基板を介して信号面上に赤色波長のレーザ光を適正に収束できるよう設計されている。なお、第２の対物レンズ１２７も、第１の対物レンズ１０８と同様、樹脂材料により形成されている。
【００２９】
アナモレンズ１２８は、ディスクによって反射されたレーザ光を光検出器１２９上に収束させる。アナモレンズ１２８は、樹脂材料によって形成され、ディスクからの反射光に非点収差を導入する。アナモレンズ１２８は、アナモレンズ１０９と同様、図２ないし図４に示すレンズ装着装置によって、上記ベースに装着される。
【００３０】
光検出器１２９は、受光したレーザ光の強度分布から再生ＲＦ信号、フォーカスエラー信号およびトラッキングエラー信号を導出するためのセンサーパターンを有している。なお、本実施の形態では、上記の如く、フォーカスエラー信号の生成手法として非点収差法が採用され、トラッキングエラー信号の生成手法としてＤＰＰ（Differential Push Pull）法が採用されている。光検出器１２９は、これらの手法に従ってフォーカスエラー信号およびトラッキングエラー信号を導出するためのセンサーパターンを有している。
【００３１】
第１の対物レンズ１０８および第２の対物レンズ１２７と、λ／４板１０７、１２６は、共通のホルダ１３１に装着されている。このホルダ１３１は、対物レンズアクチュエータ１３２によって、フォーカス方向およびトラッキング方向に駆動される。したがって、第１の対物レンズ１０８および第２の対物レンズ１２７と、λ／４板１０７、１２６は、ホルダ１３１の駆動に伴って一体的に駆動される。対物レンズアクチュエータ１３２は、コイルと磁気回路からなり、このうち、コイルがホルダ１３１に装着されている。
【００３２】
第１の対物レンズ１０８と第２の対物レンズ１２７はディスク径方向に並ぶように配置されている。このとき、これら２つの対物レンズのうち、レンズ径の小さい第１の対物レンズ１０８の方がディスク内周側に配置される。
【００３３】
次に、図２および図３を参照して、上記アナモレンズ１０９、１２８をベースに固定するためのレンズ固定装置について説明する。
【００３４】
図２（ａ）は、上記アナモレンズ１０９、１２８を有するレンズホルダ２００をレンズ光軸方向から見た側面図、図２（ｂ）は、ベース側に配され、レンズホルダ２００が装着される装着部３００の上面図、図２（ｃ）は、図２（ｂ）のＡ−Ａ’断面図である。図３（ａ）、（ｂ）、（ｃ）は、レンズホルダ２００を装着部３００に固定する際の工程を示す斜視図である。
【００３５】
図２（ａ）、図３（ａ）を参照して、レンズホルダ２００は、中央にレンズ領域２０１を有している。上記アナモレンズ１０９またはアナモレンズ１２８は、このレンズ領域２０１に一体化されている。すなわち、レンズホルダ２００は、上記アナモレンズ１０９またはアナモレンズ１２８と一体的に、樹脂成型されている。
【００３６】
レンズホルダ２０１は、Ｙ−Ｚ平面に平行な面について、左右対称な形状を有している。レンズホルダ２０１は、左右に２つの突部２０２ａ、２０２ｂを有している。これら突部２０２ａ、２０２ｂには、それぞれ、平坦な案内面２０３ａ、被接着面２０４ａと、平坦な案内面２０３ｂ、被接着面２０４ｂが形成されている。本実施の形態では、２つの案内面２０３ａ、２０３ｂの間の挟角αは９０度となっている。被装着面２０４ａ、２０４ｂは、Ｘ−Ｚ平面に平行となっている。
【００３７】
案内面２０３ａ、２０３ｂと、被接着面２０４ａ、２０４ｂは、これらの面を平面方向に広げると、一つの交線で交わり、この交線がレンズ領域２０１の光軸（中心軸）に一致するように配置されている。
【００３８】
図２（ｂ）、（ｃ）および図３（ａ）を参照して、装着部３００は、Ｙ−Ｚ平面について左右対称な形状を有している。装着部３００は、樹脂材料（ＰＰＳ：ポリフェニレンサルファイド）によってベースに一体形成されている。装着部３００には、２つの壁部３０１、３０２が形成され、これら壁部３０１、３０２の間に凹部３０３が配されている。壁部３０１の内面には、Ｙ軸方向に延びる突条３０１ａ、３０１ｂが形成されている。また、壁部３０１には、レンズホルダ２００が装着部３００に装着されたときに、レーザ光をレンズ領域２０１に導くための半円形の切欠き３０１ｃが形成されている。壁部３０２には、切欠き３０１ｃに対向する位置に、四角形状の切欠き３０２ａが形成されている。
【００３９】
凹部３０３には、２つの受け面３０４ａ、３０４ｂが形成されている。これら２つの受け面３０４ａ、３０４ｂの間のＺ軸周りの挟角βは９０度となっている。受け面３０４ａ、３０４ｂのＺ軸方向の端縁には、受け面３０４ａ、３０４ｂよりも一段低い段部３０５が形成されている。
【００４０】
レンズホルダ２００を装着部３００に固定するには、まず、図３（ａ）に示すごとく、レンズホルダ２００を上側から装着部３００の奥部３０３に挿入し、案内面２０３ａ、２０３ｂをそれぞれ受け面３０４ａ、３０４ｂに当接させる。これにより、同図（ｂ）に示すように、レンズホルダ２００が装着部３００に保持される。このとき、被接着面２０４ａ、２０４ｂと、壁部３０１、３０２の上面（本発明の“固定面”に相当）が、略面一になる。その後、レンズホルダ２００の上面と前面を押した状態で、被接着面２０４ａ、２０４ｂと、壁部３０１、３０２の上面の境界部分（同図（ｂ）に破線で示す）に、上側から紫外線硬化性の接着剤４００を滴下し、紫外線を照射して接着剤４００を硬化させる。これにより、同図（ｃ）に示すように、レンズホルダ２００が装着部３００に固定される。なお、接着剤４００として、アクリル系や、エポキシ系の接着剤が用いられ得る。
【００４１】
図３（ｂ）の状態で、レンズホルダ２００が上側から押されると、案内面２０３ａ、２０３ｂがそれぞれ受け面３０４ａ、３０４ｂに押し付けられて、Ｘ−Ｙ平面におけるレンズ領域２０１の位置が固定される。これにより、レンズ領域２０１の光軸が、図１に示す光学系に整合するよう調整される。さらに、レンズホルダ２００が前側から押されると、レンズホルダ２００の背面が突条３０１ａ、３０１ｂに押し付けられて、Ｚ軸方向におけるレンズ領域２０１の位置が固定される。これにより、光軸方向におけるレンズ領域２０１の位置が適正位置に調整される。上記のようにこの状態でレンズホルダ２００が接着されると、レンズ領域２０１が適正位置に固定される。
【００４２】
このように、本実施の形態によれば、レンズホルダ２００を装着部３００の凹部３０３に嵌め込んで接着剤４００で固着するだけで、レンズホルダ２００（アナモレンズ１０９、１２８）を装着部３００（ベース）に固定することができ、また、接着の際に、レンズホルダ２００を上側および前側から押さえておくだけで、レンズ領域２０１（アナモレンズ１０９、１２８）を適正な位置に位置決めすることができる。
【００４３】
図４は、レンズ固定装置のレンズ膨張時の作用を示す図である。
【００４４】
温度の上昇により、レンズホルダ２００がレンズ領域２０１の光軸（中心軸）から放射状に膨張すると、レンズホルダ２００の各部は、同図（ｂ）の矢印方向に移動する。この場合、案内面２０３ａ、２０３ｂは、それぞれ、受け面３０４ａ、３０４ｂ上を滑る。また、接着剤４００が弾性変形することにより、接着面２０４ａ、２０４ｂがＸ軸方向に移動する。本実施の形態では、接着剤４００が、接着面２０４ａ、２０４ｂと壁部３０１、３０２の上面との境界を、上側から橋架するように配されているため、接着面２０４ａ、２０４ｂがＸ軸方向に移動する際に、接着剤４００が容易に弾性変形する。このように各部が移動することで、レンズ部２００の光軸（中心軸）は、膨張前の位置に維持される。よって、本実施の形態によれば、レンズホルダ２００の熱膨張による光軸ずれを抑制することができる。
【００４５】
なお、接着剤４００は、熱膨張時における接着面２０４ａ、２０４ｂの移動をなるべく抑制しないよう、弾力性に富むものとするのが望ましい。よって、接着剤４００としては、たとえば、弾力性に富むアクリル系の接着剤を用いるのが好ましい。
【００４６】
以上のとおり、本実施の形態によれば、簡素な構成にて、レンズ固定時の作業を簡易にでき、且つ、温度変化によるレンズの光軸ずれを適正に抑制できるレンズ固定装置および当該レンズ固定装置を備えた光ピックアップ装置を実現することができる。
【００４７】
また、本実施の形態では、突部２０３ａ、２０３ｂがＸ−Ｙ平面方向とＺ軸方向に所定の幅を持っているため、突部２０３ａ、２０３ｂの剛性が高く、組み立ての際に上記のように上側および前側からレンズホルダ２００を押しても、突部２０３ａ、２０３ｂが損傷することはない。
【００４８】
また、本実施の形態では、接着面２０４ａ、２０４ｂと壁部３０１、３０２の上面とが略面一になっているため、接着剤４００による接着作業を容易に行うことができる。
【００４９】
なお、本実施の形態では、案内面２０３ａ、２０３ｂの間の挟角αと受け面３０４ａ、３０４ｂの間の挟角βを、それぞれ９０度としたが、これら挟角は、レンズホルダ２００を上側から押さえることにより、レンズホルダ２００のＸ−Ｙ平面内の位置を固定できる角度であればよい。すなわち、これら挟角は、１８０度よりも小さければ良く、望ましくは、１２０度程度よりも小さい角度に設定されると良い。前記挟角が１２０度程度よりも小さければ、レンズホルダ２００を凹部３０３に挿入するのみで、重力により、レンズホルダ２００が所期の位置に位置決めされ得る。なお、前記挟角が小さいと、レンズ固定装置のＹ軸方向における寸法が大きくなる。このため、前記挟角は、最小６０度程度に留めるのが望ましい。
【００５０】
＜変更例＞
図５は、レンズ固定装置の変更例を示す図である。本変更例では、同図（ａ）に示すように、レンズホルダ２００の前面に先細り形状の２つの突起２１０ａ、２１０ｂが形成されている。これら突起２１０ａ、２１０ｂは、レンズホルダ２００が装着部３００に装着されたときに、Ｚ軸方向において突条３０１ａ、３０１ｂと略並ぶ位置に配されている。また、突起２１０ａ、２１０ｂの高さＤ１は、同図（ｂ）の一部拡大図に示すように、レンズホルダ２００の背面を突条３０１ａ、３０１ｂに押しつけたときのレンズホルダ２００の前面と壁部３０２の背面との間のギャップＤ２よりも、Ｄ３だけ大きくなっている。
【００５１】
本変更例では、かかる突起２１ａの作用により、光軸方向におけるレンズ部２１０の位置決めを簡易に行うことができる。すなわち、上記図３のようにレンズホルダ２００を凹部３０３に挿入すると、突起２１０ａ、２１０ｂが壁部３０２の背面に当たって、レンズホルダ２００が壁部３０１方向の力を受ける。その後、さらにレンズホルダ２００を凹部３０３に押し込むと、この力によってレンズホルダ２００の背面が突条３０１ａ、３０１ｂに押し付けられる。このとき、突起２１０ａ、２１０ｂは、先端部がＤ３だけ潰れて、高さがＤ２になる。
【００５２】
このように突起２１０ａ、２１０ｂが作用することにより、本変更例によれば、レンズホルダ２００を凹部３０３に押し込むだけで、レンズ領域２０１光軸方向におけるレンズ領域２０１の位置決めを行うことができる。よって、本変更例によれば、レンズホルダ２００の固定作業をより簡易化することができる。
【００５３】
なお、本変更例において、突起２１０ａ、２１０ｂの形状は、図５に示すものに限られるものではなく、たとえば、先端または全体が丸みを帯びた形状であっても良い。また、本変更例では、Ｚ軸方向の位置決め用の突条３０１ａ、３０１ｂが壁部３０１にあるため、突起２１０ａ、２１０ｂがレンズホルダ２００の前面に配されたが、かかる突条が壁部３０２の背面に配される場合には、レンズホルダ２００の背面にこれら突起が配される。
【００５４】
なお、突起２１０ａ、２１０ｂの高さＤ１は、壁部３０２の硬さに応じて変更される必要がある。すなわち、壁部３０２が比較的軟らかい材質の場合、突起２１０ａ、２１０ｂが高いと、レンズホルダ２００を凹部３０３に押し込む際に、壁部３００の背面に、突起２１０ａ、２１０ｂによる溝が形成されて、この溝に突起２１０ａ、２１０ｂが嵌まり込む状態になり得る。こうなると、レンズホルダ２００の熱膨張の際に、突起２１０ａ、２１０ｂが溝に引っ掛かって、レンズホルダ２００の各部が円滑に移動しないことが起こり得る。よって、突起２１０ａ、２１０ｂは、このようなことが起こらないよう、適宜調整される必要がある。
【００５５】
また、本変更例では、レンズホルダ２００と装着部３００の境界において、突起２１０ａ、２１０ｂがレンズホルダ２００側に配されたが、これら突起が装着部３００側に配置されても良い。
【００５６】
以上、本発明の実施の形態および変更例について説明したが、本発明は上記実施の形態および変更例に何ら制限されるものではなく、また、本発明の実施の形態も上記の他に種々の変更が可能である。
【００５７】
たとえば、上記本実施の形態および変更例では、図２および図３の構成を有するレンズ固定装置がアナモレンズ１０９、１２８の固定のために用いられたが、コリメートレンズ１２４や第１および第２の対物レンズ１０８、１２７等、他のレンズの固定に用いられても良い。
【００５８】
また、上記実施の形態および変更例では、２つの対物レンズを用いる光ピックアップ装置が例示されたが、光ピックアップ装置の光学系は上記に例示したものに限られるものではなく、一つの対物レンズのみを用いる光ピックアップ装置に本発明を適用することも勿論可能である。
【００５９】
また、上記実施の形態および変更例では、レンズホルダ２００をＺ軸方向に位置決めするための突条３０１ａ、３０１ｂが配されたが、壁部３０１の面精度が高く、これら突条を配さずともレンズホルダ２００をＺ軸方向に適正に位置決めできる場合には、これら突条３０１ａ、３０１ｂを省略することもできる。
【００６０】
また、上記実施の形態および変更例では、接着面２０４ａ、２０４ｂがレンズホルダ２００の装着方向に対して垂直であったが、接着面２０４ａ、２０４ｂがこの状態からＹ軸方向に傾いていても良い。また、接着面２０４ａ、２０４ｂと壁部３０１、３０２とが面一でなく、両者の間に僅かな段差があっても良い。
【００６１】
また、上記実施の形態および変更例では、装着部３００がＰＰＳによりベースに一体的に形成されたが、装着部およびベースは、他の材料により形成されても良く、たとえば、アルミニウムやマグネシウムにより形成されても良い。
【００６２】
さらに、図２および図３の構成を有するレンズ固定装置は、光ピックアップ装置以外の光学機器内のレンズを固定するためにも用いられ得る。
【００６３】
この他、本発明の実施の形態は、特許請求の範囲に示された技術的思想の範囲内において、適宜、種々の変更が可能である。
【符号の説明】
【００６４】
１０９、１２８  …  アナモレンズ（レンズ）
２００  …  レンズホルダ（レンズ部）
２０１  …  レンズ領域（レンズ）
２０２ａ、２０２ｂ  …  突部
２０３ａ、２０３ｂ  …  案内面
２０４ａ、２０４ｂ  …  接着面
２１０ａ、２１０ｂ  …  突起
３００  …  装着部
３０４ａ、３０４ｂ  …  受け面
【図１】
2011108350.tif 000003
【図２】
2011108350.tif 000004
【図３】
2011108350.tif 000005
【図４】
2011108350.tif 000006
【図５】
2011108350.tif 000007
【図６】
2011108350.tif 000008
【手続補正書】
【提出日】平成23年3月18日(2011.3.18)
【手続補正１】
【補正対象書類名】特許請求の範囲
【補正対象項目名】全文
【補正方法】変更
【補正の内容】
【特許請求の範囲】
【請求項１】
レンズ領域を有する樹脂製のレンズホルダと、前記レンズ領域の光軸が所定の位置となるように前記レンズホルダを固定する装着部を有するベースとを備えたレンズ固定装置において、
前記レンズホルダは；
前記レンズ領域の光軸から離れる方向に突出した２つの突出部を有し、
２つの前記突出部は、それぞれ、前記装着部に対向する案内面と、前記案内面に対して前記装着部から離れた位置にある被接着面を有し、
前記案内面と前記被接着面を広げたときの交線が前記レンズ領域の光軸に一致するように前記案内面と前記被接着面が配置され、
２つの前記突出部の前記案内面の間の中心周りの挟角が１８０度よりも小さくなっており、
さらに前記被接着面は、前記レンズホルダの膨張時における当該被接着面の移動方向に平行となっており、
前記装着部は；
前記レンズホルダが装着されるときに２つの前記突出部の前記案内面にそれぞれ面接触する２つの受け面と、
２つの前記受け面に２つの前記案内面がそれぞれ面接触した状態において、前記被接着面と隣り合うように位置づけられる固定面とを有し、
２つの前記受け面に２つの前記案内面がそれぞれ面接触した状態において、前記被接着面と前記固定面に垂直な方向から、前記被接着面と前記固定面が接着剤により互いに固定されており、
前記レンズホルダの熱膨張時に、前記突出部は、前記案内面が前記受け面に沿って移動するとともに前記被接着面が移動して、前記レンズ領域の光軸ずれを抑制する、
ことを特徴とするレンズ固定装置。
【請求項２】
請求項１に記載のレンズ固定装置において、
前記レンズホルダを前記装着部に装着したとき、前記被接着面は、前記固定面と面一になっている、
ことを特徴とするレンズ固定装置。
【請求項３】
請求項１または２に記載のレンズ固定装置において、
２つの前記突出部の前記案内面は、前記レンズホルダを前記装着部に装着する方向に対して、互いに反対方向に同じ角度だけ傾斜し、これら案内面の挟角が１２０度よりも小さくなっている、
ことを特徴とするレンズ固定装置。
【請求項４】
請求項１ないし３の何れか一項に記載のレンズ固定装置において、
前記接着剤が、アクリル系の紫外線硬化接着剤である、
ことを特徴とするレンズ固定装置。
【請求項５】
請求項１ないし４の何れか一項に記載のレンズ固定装置において、
前記レンズ領域の前記光軸方向における前記レンズホルダと前記装着部との境界の位置に、前記レンズホルダを前記光軸方向に押さえて位置決めするための突起が配されている、
ことを特徴とするレンズ固定装置。
【請求項６】
請求項１ないし５の何れか一項に記載のレンズ固定装置を有する光ピックアップ装置。
【手続補正２】
【補正対象書類名】明細書
【補正対象項目名】０００３
【補正方法】変更
【補正の内容】
【０００３】
図６（ａ）は、樹脂製レンズの固定形態を、レンズ光軸方向から見た図である。この形態では、下面と側面がベース２０に接するようにして、レンズ１０がベース２０に固定されている。この場合、温度上昇によってレンズ１０が光軸を中心に膨張すると、面２０ａ、２０ｂに押されてレンズ１０が破線矢印方向に移動する。これにより、レンズ１０の光軸が適正な状態からずれてしまい、当該レンズを備える光学系の特性に劣化が生じる。光ピックアップ装置などでは、レンズの光軸が僅か数ミクロンずれるだけで、読み取りに十分な特性が得られなくなってしまう。
【手続補正３】
【補正対象書類名】明細書
【補正対象項目名】０００４
【補正方法】変更
【補正の内容】
【０００４】
この問題を解消する手法として、たとえば、同図（ｂ）の構成が知られている（特許文献１）。この構成では、レンズホルダ３０から放射状に３つの係止部３１、３２、３３が突出している。これら係止部３１、３２、３３のベース４０に当接する面Ｓ１、Ｓ２、Ｓ３は、光軸Ｏから放射状となるように形成されている。レンズホルダ３０は、面Ｓ１、Ｓ２、Ｓ３がベース４０の対応する面に接する状態で、板バネ５０によって、左下方向に弾性的に押さえられている。また、係止部３１、３２は、接着剤６０によって、ベース４０の上面に固定されている。係止部３１、３２には、それぞれ、左方向および右方向に撓むヒンジ部３１ａ、３２ａが形成されている。
【手続補正４】
【補正対象書類名】明細書
【補正対象項目名】０００９
【補正方法】変更
【補正の内容】
【０００９】
本発明の第１の態様は、レンズ固定装置に関する。本態様に係るレンズ固定装置は、レンズ領域を有する樹脂製のレンズホルダと、前記レンズ領域の光軸が所定の位置となるように前記レンズホルダを固定する装着部を有するベースとを備える。
【手続補正５】
【補正対象書類名】明細書
【補正対象項目名】００１０
【補正方法】変更
【補正の内容】
【００１０】
ここで、前記レンズホルダは、前記レンズ領域の光軸から離れる方向に突出した２つの突出部を有し、２つの前記突出部は、それぞれ、前記装着部に対向する案内面と、前記案内面に対して前記装着部から離れた位置にある被接着面を有し、前記案内面と前記被接着面を広げたときの交線が前記レンズ領域の光軸に一致するように前記案内面と前記被接着面が配置され、２つの前記突出部の前記案内面の間の中心周りの挟角が１８０度よりも小さくなっており、さらに前記被接着面は、前記レンズホルダの膨張時における当該被接着面の移動方向に平行となっている。
【手続補正６】
【補正対象書類名】明細書
【補正対象項目名】００１１
【補正方法】変更
【補正の内容】
【００１１】
他方、前記装着部は、前記レンズホルダが装着されるときに２つの前記突出部の前記案内面にそれぞれ面接触する２つの受け面と、２つの前記受け面に２つの前記案内面がそれぞれ面接触した状態において、前記被接着面と隣り合うように位置づけられる固定面とを有している。
【手続補正７】
【補正対象書類名】明細書
【補正対象項目名】００１２
【補正方法】変更
【補正の内容】
【００１２】
２つの前記受け面に２つの前記案内面がそれぞれ面接触した状態において、前記被接着面と前記固定面に垂直な方向から、前記被接着面と前記固定面が接着剤により互いに固定される。
そして、前記レンズホルダの熱膨張時に、前記突出部は、前記案内面が前記受け面に沿って移動するとともに前記被接着面が移動して、前記レンズ領域の光軸ずれを抑制する。
【手続補正８】
【補正対象書類名】明細書
【補正対象項目名】００３６
【補正方法】変更
【補正の内容】
【００３６】
レンズホルダ２０１は、Ｙ−Ｚ平面に平行な面について、左右対称な形状を有している。レンズホルダ２０１は、左右に２つの突部２０２ａ、２０２ｂを有している。これら突部２０２ａ、２０２ｂには、それぞれ、平坦な案内面２０３ａ、被接着面２０４ａと、平坦な案内面２０３ｂ、被接着面２０４ｂが形成されている。本実施の形態では、２つの案内面２０３ａ、２０３ｂの間の挟角αは９０度となっている。被接着面２０４ａ、２０４ｂは、Ｘ−Ｚ平面に平行となっている。
【手続補正９】
【補正対象書類名】明細書
【補正対象項目名】００４４
【補正方法】変更
【補正の内容】
【００４４】
温度の上昇により、レンズホルダ２００がレンズ領域２０１の光軸（中心軸）から放射状に膨張すると、レンズホルダ２００の各部は、同図（ｂ）の矢印方向に移動する。この場合、案内面２０３ａ、２０３ｂは、それぞれ、受け面３０４ａ、３０４ｂ上を滑る。また、接着剤４００が弾性変形することにより、被接着面２０４ａ、２０４ｂがＸ軸方向に移動する。本実施の形態では、接着剤４００が、被接着面２０４ａ、２０４ｂと壁部３０１、３０２の上面との境界を、上側から橋架するように配されているため、被接着面２０４ａ、２０４ｂがＸ軸方向に移動する際に、接着剤４００が容易に弾性変形する。このように各部が移動することで、レンズ領域２０１の光軸（中心軸）は、膨張前の位置に維持される。よって、本実施の形態によれば、レンズホルダ２００の熱膨張による光軸ずれを抑制することができる。
【手続補正１０】
【補正対象書類名】明細書
【補正対象項目名】００４５
【補正方法】変更
【補正の内容】
【００４５】
なお、接着剤４００は、熱膨張時における被接着面２０４ａ、２０４ｂの移動をなるべく抑制しないよう、弾力性に富むものとするのが望ましい。よって、接着剤４００としては、たとえば、弾力性に富むアクリル系の接着剤を用いるのが好ましい。
【手続補正１１】
【補正対象書類名】明細書
【補正対象項目名】００４８
【補正方法】変更
【補正の内容】
【００４８】
また、本実施の形態では、被接着面２０４ａ、２０４ｂと壁部３０１、３０２の上面とが略面一になっているため、接着剤４００による接着作業を容易に行うことができる。
【手続補正１２】
【補正対象書類名】明細書
【補正対象項目名】００６０
【補正方法】変更
【補正の内容】
【００６０】
また、上記実施の形態および変更例では、被接着面２０４ａ、２０４ｂがレンズホルダ２００の装着方向に対して垂直であったが、被接着面２０４ａ、２０４ｂがこの状態からＹ軸方向に傾いていても良い。また、被接着面２０４ａ、２０４ｂと壁部３０１、３０２とが面一でなく、両者の間に僅かな段差があっても良い。
【手続補正１３】
【補正対象書類名】明細書
【補正対象項目名】００６４
【補正方法】変更
【補正の内容】
【００６４】
１０９、１２８  …  アナモレンズ
２００  …  レンズホルダ
２０１  …  レンズ領域
２０２ａ、２０２ｂ  …  突部
２０３ａ、２０３ｂ  …  案内面
２０４ａ、２０４ｂ  …  被接着面
２１０ａ、２１０ｂ  …  突起
３００  …  装着部
３０４ａ、３０４ｂ  …  受け面
【手続補正１４】
【補正対象書類名】図面
【補正対象項目名】図４
【補正方法】変更
【補正の内容】
【図４】
2011108350.tif 000009